(57)【特許請求の範囲】
【請求項１】
車両に搭載される車載用音響装置において、
オーディオ情報の再生機能及び通信機能を有する携帯用音響装置との間で短距離無線伝送における所定のプロトコルにより相互の通信を行い、オーディオ情報の内容を特定するためのインデックスデータを送受信する車載側通信部と、
前記携帯用音響装置側で再生するオーディオ情報と同じオーディオ情報を保有しこれを再生してスピーカに出力する車載側再生部と、
前記携帯用音響装置によるオーディオ情報の再生から前記車載側再生部によるオーディオ情報の再生に切り換える第１切換信号、前記車載側再生部によるオーディオ情報の再生から前記携帯用音響装置によるオーディオ情報の再生に切り換える第２切換信号を出力する切換部と、
前記第１及び第２切換信号それぞれに応じて前記車載側通信部及び前記車載側再生部を制御する車載側制御部と
を備え、
前記第１切換信号の入力により、前記車載側制御部が前記車載側通信部を制御し、前記携帯用音響装置に対して再生中のオーディオ情報のインデックスデータを送信要求し、この要求に応じて前記携帯用音響装置から送信される再生中のオーディオ情報のインデックスデータが受信されると、前記車載側制御部が前記車載側再生部を制御し、受信したインデックスデータのオーディオ情報の再生を開始し、
前記第２切換信号の入力により、前記車載側制御部が前記車載側通信部及び前記車載側再生部を制御し、再生中のオーディオ情報のインデックスデータを前記携帯用音響装置に送信すると共に、前記車載側再生部によるオーディオ情報の再生を中止する
ことを特徴とする車載用音響装置。
【請求項２】
前記切換部が、イグニッションキーまたはドアの状態に基づき、搭乗者の乗車か降車かを判断し、乗車と判断したときに前記第１切換信号を出力し、降車と判断したときに前記第２切換信号を出力することを特徴とする請求項１に記載の車載用音響装置。
【請求項３】
前記切換部が、前記車載側通信部を介して、前記携帯用音響装置から電源のオフ、オンにそれぞれ応じて送信されてくる電源オフ信号及び電源オン信号を取得し、前記電源オフ信号を取得したときに前記第１切換信号を出力し、前記電源オン信号を取得したときに前記第２切換信号を出力することを特徴とする請求項１に記載の車載用音響装置。
【請求項４】
前記携帯用音響装置によるオーディオ情報の再生、及び、前記車載側再生部によるオーディオ情報の再生を選択操作するための操作部を備え、
前記切換部が、前記操作部の操作に基づいて前記第１切換信号及び前記第２切換信号を択一的に出力することを特徴とする請求項１に記載の車載用音響装置。
【請求項５】
請求項１ないし４のいずれかに記載の車載用音響装置との間で通信を行う携帯用音響装置において、
オーディオ情報を再生する携帯側再生部と、
前記車載側通信部との間で短距離無線伝送における所定のプロトコルにより相互の通信を行い、オーディオ情報の内容を特定するためのインデックスデータを送受信する携帯側通信部と、
前記携帯側再生部及び前記携帯側通信部を制御する携帯側制御部と
を備え、
前記車載用音響装置から前記携帯側通信部にインデックスデータの送信要求があれば、その要求に応じて、前記携帯側制御部が前記携帯側再生部及び前記携帯側通信部を制御し、再生中のオーディオ情報のインデックスデータを前記車載用音響装置に送信すると共に、そのオーディオ情報の再生を中止し、
前記携帯側再生部によるオーディオ情報の再生中止中に、前記車載用音響装置からインデックスデータの送信があれば、前記携帯側制御部が前記携帯側再生部及び前記携帯側通信部を制御し、前記車載用音響装置からのインデックスデータを受信し、受信したインデックスデータのオーディオ情報の再生を開始する
ことを特徴とする携帯用音響装置。
【請求項６】
携帯用音響装置及び車載用音響装置を備えて成る音響システムにおいて、
前記携帯用音響装置が、
オーディオ情報を再生する携帯側再生部と、オーディオ情報の内容を特定するためのインデックスデータを送受信する携帯側通信部と、前記携帯側再生部及び前記携帯側制御部を制御する携帯側制御部とを備え、
前記車載用音響装置が、
前記携帯側通信部との間で相互に通信を行い、オーディオ情報の内容を特定するためのインデックスデータを送受信する車載側通信部と、前記携帯用音響装置側で再生するオーディオ情報と同じオーディオ情報を保有しこれを再生してスピーカに出力する車載側再生部と、前記携帯側再生部によるオーディオ情報の再生から前記車載側再生部によるオーディオ情報の再生に切り換える第１切換信号、前記車載側再生部によるオーディオ情報の再生から前記携帯側再生部によるオーディオ情報の再生に切り換える第２切換信号を出力する切換部と、前記第１及び第２切換信号に応じて前記車載側通信部及び前記車載側再生部を制御する車載側制御部とを備え、
前記第１切換信号の入力により、前記車載側制御部が前記車載側通信部を制御し、前記携帯側通信部に対して再生中のオーディオ情報のインデックスデータを送信要求し、この要求に応じて、前記携帯側制御部が前記携帯側再生部及び前記携帯側通信部を制御し、再生中のオーディオ情報のインデックスデータを送信すると共に、そのオーディオ情報の再生を中止し、前記車載側通信部が前記携帯側通信部からのインデックスデータを受信すると、前記車載側制御部が前記車載側再生部を制御し、受信したインデックスデータのオーディオ情報の再生を開始し、
前記第２切換信号の入力により、前記車載側制御部が前記車載側通信部及び前記車載側再生部を制御し、再生中のオーディオ情報のインデックスデータを前記携帯側通信部に送信すると共に、前記車載側再生部によるオーディオ情報の再生を中止し、前記携帯側通信部が前記車載側通信部からのインデックスデータを受信すると、前記携帯側再生部により、受信したインデックスデータのオーディオ情報の再生を開始する
ことを特徴とする音響システム。
【請求項７】
前記オーディオ情報が、記録媒体に記録された楽曲情報であり、
前記インデックスデータが、その楽曲情報のタイトルまたは特定のフレーズであり、
前記携帯用音響装置及び前記車載用音響装置が、同じ楽曲情報を記録した前記記録媒体をそれぞれ備え、
前記携帯側再生部及び前記車載側再生部が、前記両記録媒体をそれぞれ再生することを特徴とする請求項６に記載の音響システム。
【請求項８】
前記携帯側再生部及び前記車載側再生部が、ラジオ放送の受信機能を有し、
前記オーディオ情報が、ラジオ放送の受信情報であり、
前記インデックスデータが、そのラジオ放送の放送局である
ことを特徴とする請求項６に記載の音響システム。
【請求項９】
前記携帯側通信部及び前記車載側通信部が、短距離無線伝送における所定のプロトコルにより相互の通信を行うことを特徴とする請求項６ないし８のいずれかに記載の音響システム。
【請求項１０】
前記切換部が、イグニッションキーまたはドアの状態に基づき、搭乗者の乗車か降車かを判断し、乗車と判断したときに前記第１切換信号を出力し、降車と判断したときに前記第２切換信号を出力することを特徴とする請求項６ないし９のいずれかに記載の音響システム。
【請求項１１】
前記切換部が、前記車載側通信部を介して、前記携帯側通信部から前記携帯用音響装置の電源のオフ、オンにそれぞれ応じて送信されてくる電源オフ信号及び電源オン信号を取得し、前記電源オフ信号を取得したときに前記第１切換信号を出力し、前記電源オン信号を取得したときに前記第２切換信号を出力することを特徴とする請求項６ないし９のいずれかに記載の音響システム。
【請求項１２】
前記車載側音響装置が、前記携帯側再生部によるオーディオ情報の再生、及び、前記車載側再生部によるオーディオ情報の再生を選択操作するための操作部を備え、
前記切換部が、前記操作部の操作に基づいて前記第１切換信号及び前記第２切換信号を択一的に出力することを特徴とする請求項６ないし９のいずれかに記載の音響システム。
【発明の詳細な説明】
【０００１】
【発明の属する技術分野】
この発明は、車両に搭載される車載用音響装置これと通信する携帯用音響装置並びにこれら両装置を備える音響システムに関し、オーディオ情報の携帯用音響装置による再生から車載用音響装置による再生への切り換え、またはその逆への切り換えを可能にしたものに関する。
【０００２】
【従来の技術】
従来、車載用音響装置は、カセットテープ、音楽用ＣＤ、ＭＤ（ミニディスク）などの記録媒体に記録されたオーディオ情報や、ラジオチューナにより受信したラジオ放送を再生し、再生した音声をスピーカから出力する。一方では、携帯用のカセットテーププレーヤやＣＤプレーヤ、ＭＤプレーヤといった種々の携帯用音響装置が商品化されている。
【０００３】
【発明が解決しようとする課題】
ところで、この種の携帯用音響装置により例えばＭＤを再生しながら自動車に乗り込むこともあるが、従来の車載用音響装置及び携帯用音響装置では、このような連続再生は不可能であり、通常はＭＤなどの記録媒体を携帯側から車載側に、或いはその逆に移し換えることで対応するしかなく、ユーザによっては不便に感じることがある。
【０００４】
このような場合に、携帯用音響装置により再生中の楽曲情報を、車載用音響装置により連続して再生できれば、ユーザにとって違和感がなく大変便利である。
【０００５】
そこで、本発明は、オーディオ情報の携帯用音響装置による再生から車載用音響装置による再生への切り換え、またはその逆への切り換えを自動的に行えるようにすることを目的とする。
【０００６】
【課題を解決するための手段】
上記した目的を達成するために、本発明にかかる車載用音響装置は、オーディオ情報の再生機能及び通信機能を有する携帯用音響装置との間で短距離無線伝送における所定のプロトコルにより相互の通信を行い、オーディオ情報の内容を特定するためのインデックスデータを送受信する車載側通信部と、前記携帯用音響装置側で再生するオーディオ情報と同じオーディオ情報を保有しこれを再生してスピーカに出力する車載側再生部と、前記携帯用音響装置によるオーディオ情報の再生から前記車載側再生部によるオーディオ情報の再生に切り換える第１切換信号、前記車載側再生部によるオーディオ情報の再生から前記携帯用音響装置によるオーディオ情報の再生に切り換える第２切換信号を出力する切換部と、前記第１及び第２切換信号それぞれに応じて前記車載側通信部及び前記車載側再生部を制御する車載側制御部とを備え、前記第１切換信号の入力により、前記車載側制御部が前記車載側通信部を制御し、前記携帯用音響装置に対して再生中のオーディオ情報のインデックスデータを送信要求し、この要求に応じて前記携帯用音響装置から送信される再生中のオーディオ情報のインデックスデータが受信されると、前記車載側制御部が前記車載側再生部を制御し、受信したインデックスデータのオーディオ情報の再生を開始し、前記第２切換信号の入力により、前記車載側制御部が前記車載側通信部及び前記車載側再生部を制御し、再生中のオーディオ情報のインデックスデータを前記携帯用音響装置に送信すると共に、前記車載側再生部によるオーディオ情報の再生を中止することを特徴としている。
【０００７】
このような構成によれば、携帯用音響装置によるオーディオ情報の再生から車載側再生部によるオーディオ情報の再生に切り換える第１切換信号が車載側制御部に入力されると、携帯用音響装置に対して再生中のオーディオ情報のインデックスデータが要求され、携帯用音響装置から再生中のオーディオ情報のインデックスデータが送信されて車載側通信部により受信されると、受信されたインデックスデータのオーディオ情報の再生が開始され、携帯用音響装置による再生から車載用音響装置による再生に自動的に切り換わる。
【０００８】
また、車載側再生部によるオーディオ情報の再生から携帯用音響装置によるオーディオ情報の再生に切り換える第２切換信号が車載側制御部に入力されると、再生中のオーディオ情報のインデックスデータが携帯用音響装置に送信されると共に、車載側再生部によるオーディオ情報の再生が中止され、携帯用音響装置では、例えば受信したインデックスデータのオーディオ情報を再生開始することができる。
【０００９】
そのため、オーディオ情報の携帯用音響装置による再生から車載用音響装置による再生への切り換え、またはその逆への切り換えを自動的に行うことができる。
【００１０】
また、本発明にかかる車載用音響装置は、前記切換部が、イグニッションキーまたはドアの状態に基づき、搭乗者の乗車か降車かを判断し、乗車と判断したときに前記第１切換信号を出力し、降車と判断したときに前記第２切換信号を出力することを特徴としている。
【００１１】
このような構成によれば、イグニッションキーまたはドアの状態に基づいて搭乗者の乗車か降車かを判断するため、搭乗者の乗車と判断すれば、自動的に車載用音響装置による再生に切り換えることができ、搭乗者の降車と判断すれば、自動的に携帯用音響装置による再生に切り換えることができる。
【００１２】
また、本発明にかかる車載用音響装置は、前記切換部が、前記車載側通信部を介して、前記携帯用音響装置から電源のオフ、オンにそれぞれ応じて送信されてくる電源オフ信号及び電源オン信号を取得し、前記電源オフ信号を取得したときに前記第１切換信号を出力し、前記電源オン信号を取得したときに前記第２切換信号を出力することを特徴としている。
【００１３】
このような構成によれば、携帯用音響装置の電源オフ時には、搭乗者が乗車したと判断できるため、オーディオ情報の携帯用音響装置による再生から車載用音響装置による再生に切り換えられる。また、携帯用音響装置の電源オン時には、搭乗者が降車したと判断できるため、オーディオ情報の車載用音響装置による再生から携帯用音響装置による再生に切り換えられる。
【００１４】
そのため、イグニッションキーまたはドアの状態を判断しなくても、携帯用音響装置の電源のオン、オフに基づいて、オーディオ情報の携帯用音響装置による再生から車載用音響装置による再生への切り換え、またはその逆への切り換えを自動的に行うことができる。
【００１５】
また、本発明にかかる車載用音響装置は、前記携帯用音響装置によるオーディオ情報の再生、及び、前記車載側再生部によるオーディオ情報の再生を選択操作するための操作部を備え、前記切換部が、前記操作部の操作に基づいて前記第１切換信号及び前記第２切換信号を択一的に出力することを特徴としている。
【００１６】
このような構成によれば、操作部の操作により、オーディオ情報の携帯用音響装置による再生から車載用音響装置による再生への切り換え、またはその逆への切り換えを自動的に行えるため、ユーザの意図を反映して確実に切換を行うことができる。
【００１７】
また、本発明にかかる携帯用音響装置は、オーディオ情報を再生する携帯側再生部と、前記車載側通信部との間で短距離無線伝送における所定のプロトコルにより相互の通信を行い、オーディオ情報の内容を特定するためのインデックスデータを送受信する携帯側通信部と、前記携帯側再生部及び前記携帯側通信部を制御する携帯側制御部とを備え、前記車載用音響装置から前記携帯側通信部にインデックスデータの送信要求があれば、その要求に応じて、前記携帯側制御部が前記携帯側再生部及び前記携帯側通信部を制御し、再生中のオーディオ情報のインデックスデータを前記車載用音響装置に送信すると共に、そのオーディオ情報の再生を中止し、前記携帯側再生部によるオーディオ情報の再生中止中に、前記車載用音響装置からインデックスデータの送信があれば、前記携帯側制御部が前記携帯側再生部及び前記携帯側通信部を制御し、前記車載用音響装置からのインデックスデータを受信し、受信したインデックスデータのオーディオ情報の再生を開始することを特徴としている。
【００１８】
このような構成によれば、車載用音響装置から前記携帯側通信部にインデックスデータの送信要求があれば、携帯側再生部により再生中のオーディオ情報のインデックスデータが車載用音響装置に送信されると共に、そのオーディオ情報の再生が中止される。そして、車載用音響装置側では、送信されてきたインデックスデータのオーディオ情報の再生を開始することができる。
【００１９】
また、携帯側再生部によるオーディオ情報の再生中止中に、車載用音響装置からインデックスデータの送信があれば、そのインデックスデータが受信されて、受信されたインデックスデータのオーディオ情報の再生が開始される。
【００２０】
そのため、オーディオ情報の携帯側再生部による再生から車載側再生部による再生への切り換え、またはその逆への切り換えを自動的に行うことができる。
【００２１】
また、本発明にかかる音響システムは、携帯用音響装置及び車載用音響装置を備えて成る音響システムにおいて、前記携帯用音響装置が、オーディオ情報を再生する携帯側再生部と、オーディオ情報の内容を特定するためのインデックスデータを送受信する携帯側通信部と、前記携帯側再生部及び前記携帯側制御部を制御する携帯側制御部とを備え、前記車載用音響装置が、前記携帯側通信部との間で相互に通信を行い、オーディオ情報の内容を特定するためのインデックスデータを送受信する車載側通信部と、前記携帯用音響装置側で再生するオーディオ情報と同じオーディオ情報を保有しこれを再生してスピーカに出力する車載側再生部と、前記携帯側再生部によるオーディオ情報の再生から前記車載側再生部によるオーディオ情報の再生に切り換える第１切換信号、前記車載側再生部によるオーディオ情報の再生から前記携帯側再生部によるオーディオ情報の再生に切り換える第２切換信号を出力する切換部と、前記第１及び第２切換信号に応じて前記車載側通信部及び前記車載側再生部を制御する車載側制御部とを備え、前記第１切換信号の入力により、前記車載側制御部が前記車載側通信部を制御し、前記携帯側通信部に対して再生中のオーディオ情報のインデックスデータを送信要求し、この要求に応じて、前記携帯側制御部が前記携帯側再生部及び前記携帯側通信部を制御し、再生中のオーディオ情報のインデックスデータを送信すると共に、そのオーディオ情報の再生を中止し、前記車載側通信部が前記携帯側通信部からのインデックスデータを受信すると、前記車載側制御部が前記車載側再生部を制御し、受信したインデックスデータのオーディオ情報の再生を開始し、前記第２切換信号の入力により、前記車載側制御部が前記車載側通信部及び前記車載側再生部を制御し、再生中のオーディオ情報のインデックスデータを前記携帯側通信部に送信すると共に、前記車載側再生部によるオーディオ情報の再生を中止し、前記携帯側通信部が前記車載側通信部からのインデックスデータを受信すると、前記携帯側再生部により、受信したインデックスデータのオーディオ情報の再生を開始することを特徴としている。
【００２２】
このような構成によれば、携帯側再生部によるオーディオ情報の再生から車載側再生部によるオーディオ情報の再生に切り換える第１切換信号が車載側制御部に入力されると、携帯側通信部に対して再生中のオーディオ情報のインデックスデータが要求され、携帯側通信部から、再生中のオーディオ情報のインデックスデータが送信されて車載側通信部により受信されると、受信されたインデックスデータのオーディオ情報の再生が開始され、携帯用音響装置による再生から車載用音響装置による再生に自動的に切り換わる。
【００２３】
また、携帯側再生部によるオーディオ情報の再生中止中に、車載側再生部によるオーディオ情報の再生から携帯用音響装置によるオーディオ情報の再生に切り換える第２切換信号が車載側制御部に入力されると、再生中のオーディオ情報のインデックスデータが携帯側通信部に送信されると共に、車載側再生部によるオーディオ情報の再生が中止され、携帯用再生部により、受信したインデックスデータのオーディオ情報の再生が開始される。
【００２４】
そのため、オーディオ情報の携帯用音響装置による再生から車載用音響装置による再生への切り換え、またはその逆への切り換えを自動的に行うことができる。
【００２５】
また、本発明にかかる音響システムは、前記オーディオ情報が、記録媒体に記録された楽曲情報であり、前記インデックスデータが、その楽曲情報のタイトルまたは特定のフレーズであり、前記携帯用音響装置及び前記車載用音響装置が、同じ楽曲情報を記録した前記記録媒体をそれぞれ備え、前記携帯側再生部及び前記車載側再生部が、前記両記録媒体をそれぞれ再生することを特徴としている。
【００２６】
このような構成によれば、オーディオ情報がＣＤやＭＤ等の記録媒体に記録された楽曲情報であるときに、インデックスデータとして、楽曲情報のタイトルまたは特定のフレーズを利用することができるため、携帯側通信部及び車載側通信部との間で送受信するインデックスデータに基づき、再生すべき楽曲情報の内容を簡単かつ確実に特定することができ、楽曲情報の携帯用音響装置による再生から車載用音響装置による再生への切り換え、またはその逆への切り換えを円滑に行うことができる。
【００２７】
また、本発明にかかる音響システムは、前記携帯側再生部及び前記車載側再生部が、ラジオ放送の受信機能を有し、前記オーディオ情報が、ラジオ放送の受信情報であり、前記インデックスデータが、そのラジオ放送の放送局であることを特徴としている。
【００２８】
このような構成によれば、オーディオ情報がラジオ放送の受信情報であるときに、インデックスデータとしてラジオ放送の放送局を利用するため、携帯側通信部及び車載側通信部との間で送受信するインデックスデータに基づき、再生すべきオーディオ情報の内容を簡単かつ確実に特定することができ、オーディオ情報の携帯用音響装置による再生から車載用音響装置による再生への切り換え、またはその逆への切り換えを円滑に行うことができる。
【００２９】
また、本発明にかかる音響システムは、前記携帯側通信部及び前記車載側通信部が、短距離無線伝送における所定のプロトコルにより相互の通信を行うことを特徴としている。
【００３０】
このような構成によれば、短距離無線伝送におけるBluetooth 等のプロトコルに従って、携帯側通信部及び車載側通信部間における通信を簡単に実現することができる。
【００３１】
また、本発明にかかる音響システムは、前記切換部が、イグニッションキーまたはドアの状態に基づき、搭乗者の乗車か降車かを判断し、乗車と判断したときに前記第１切換信号を出力し、降車と判断したときに前記第２切換信号を出力することを特徴としている。
【００３２】
このような構成によれば、イグニッションキーまたはドアの状態に基づいて搭乗者の乗車か降車かを判断するため、搭乗者の乗車と判断すれば、自動的に車載用音響装置による再生に切り換えることができ、搭乗者の降車と判断すれば、自動的に携帯用音響装置による再生に切り換えることができる。
【００３３】
また、本発明にかかる音響システムは、前記切換部が、前記車載側通信部を介して、前記携帯側通信部から前記携帯用音響装置の電源のオフ、オンにそれぞれ応じて送信されてくる電源オフ信号及び電源オン信号を取得し、前記電源オフ信号を取得したときに前記第１切換信号を出力し、前記電源オン信号を取得したときに前記第２切換信号を出力することを特徴としている。
【００３４】
このような構成によれば、携帯用音響装置の電源オフ時には、搭乗者が乗車したと判断できるため、オーディオ情報の携帯用音響装置による再生から車載用音響装置による再生に切り換えられる。また、携帯用音響装置の電源オン時には、搭乗者が降車したと判断できるため、オーディオ情報の車載用音響装置による再生から携帯用音響装置による再生に切り換えられる。
【００３５】
そのため、イグニッションキーまたはドアの状態を判断しなくても、携帯用音響装置の電源のオン、オフに基づいて、オーディオ情報の携帯用音響装置による再生から車載用音響装置による再生への切り換え、またはその逆への切り換えを自動的に行うことができる。
【００３６】
また、本発明にかかる音響システムは、前記車載側音響装置が、前記携帯側再生部によるオーディオ情報の再生、及び、前記車載側再生部によるオーディオ情報の再生を選択操作するための操作部を備え、前記切換部が、前記操作部の操作に基づいて前記第１切換信号及び前記第２切換信号を択一的に出力することを特徴としている。
【００３７】
このような構成によれば、操作部の操作により、オーディオ情報の携帯用音響装置による再生から車載用音響装置による再生への切り換え、またはその逆への切り換えを自動的に行えるため、ユーザの意図を反映して確実に切り換えを行うことができる。
【００３８】
【発明の実施の形態】
この発明を記録媒体であるＭＤに記録された楽曲情報を再生する場合に適用した一実施形態について図１ないし図３を参照して説明する。但し、図１は音響システムのブロック図、図２及び図３は動作説明用フローチャートである。
【００３９】
本実施形態における音響システムは、図１に示すように、携帯用音響装置１及び車載用音響装置２により構成されている。そして、携帯用音響装置１は、図１に示すように、ＭＤに記録されたオーディオ情報である楽曲情報を再生する携帯側再生部１１と、後述する車載側通信部との間で短距離無線伝送におけるプロトコルであるBluetooth に従って相互の通信を行い、楽曲情報の内容を特定するためのインデックスデータである楽曲のタイトル名データを送受信する携帯側通信部１２と、携帯側再生部１１及び携帯側通信部１２を制御するマイクロコンピュータ（以下、マイコンと称する）から成る携帯側制御部１３と、複数個の操作キーを備えた携帯側操作部１４と、液晶表示装置（以下、ＬＣＤと称する）から成る携帯側表示部１５とを備えている。
【００４０】
また、車載用音響装置２は、図１に示すように、携帯側通信部１２との間で短距離無線伝送におけるプロトコルであるBluetooth に従って相互に通信を行い、楽曲情報の内容を特定するためのインデックスデータ（楽曲のタイトル名データ）を送受信する車載側通信部２１と、楽曲情報を再生してスピーカに出力する車載側再生部２２と、イグニッションキーのオン、オフの状態、及び少なくとも運転席ドアの開閉に応じて信号を出力する運転席ドアの状態を取り込んで後述する車載側制御部に切換信号を出力するインターフェイス部（以下、Ｉ／Ｆ部と称する）２３と、複数個の操作キーを備えた車載側操作部２４と、ＬＣＤから成る車載側表示部２５と、各部の制御を行うマイコンから成る車載側制御部２６とを備えている。
【００４１】
このとき、携帯用音響装置１と車載用音響装置２には、同じ楽曲情報を記録したＭＤがそれぞれ装着されており、携帯側再生部１１及び車載側再生部２２が、各々のＭＤをそれぞれ再生するようになっている。こうすることで、上記した楽曲情報を特定する楽曲のタイトルデータを相互に交換すれば、携帯用音響装置１と車載用音響装置２との間で楽曲の再生を切り換えることができるのである。
【００４２】
ところで、上記したＩ／Ｆ部２３は、イグニッションキーのオン、または、キーレスエントリシステム或いは手動による運転席ドアの解錠を検出すると、搭乗者の乗車と判断できるため、イグニッションキーのオン等を検出してから一定時間経過後に車載側制御部２６に第１切換信号を出力し、イグニッションキーのオフ、または、キーレスエントリシステム或いは手動による運転席ドアの施錠の状態を検出すると、搭乗者の降車と判断できるため、イグニッションキーのオフ等を検出してから一定時間経過後に車載側制御部２６に第２切換信号を出力する。ここで、Ｉ／Ｆ部２３が本発明における切換部に相当する。
【００４３】
また、車載側制御部２６は、Ｉ／Ｆ部２３からの第１切換信号の入力により、携帯側再生部１１による楽曲情報の再生から車載側再生部２２による楽曲情報の再生に切り換えるべく車載側通信部２１及び車載側再生部２２を制御し、Ｉ／Ｆ部２３からの第２切換信号の入力により、車載側再生部１１による楽曲情報の再生から携帯側再生部１１による楽曲情報の再生に切り換えるべく車載側通信部２１及び車載側再生部２２を制御する。このような車載側制御部２６による車載側通信部２１及び車載側再生部２２の制御処理が制御部に相当する。
【００４４】
次に、動作について図２及び図３のフローチャートを参照して説明する。まず、車載側音響装置２の動作について説明すると、図２に示すように、車載側制御部２６により、Ｉ／Ｆ部２３から第１切換信号の出力があるか否かの判定がなされる（Ｓ１）。この判定は、上記したように、イグニッションキーのオン、または、キーレスエントリシステム或いは手動による運転席ドアの解錠があるかどうかに基づいて行われ、これらがあるときに、搭乗者が乗車したと判断されてＩ／Ｆ部２３から第１切換信号が出力される。
【００４５】
そして、ステップＳ１の判定結果がＹＥＳであれば車載側通信部２１により携帯側通信部１２に対して、携帯側再生部１１により携帯側のＭＤの楽曲のうち再生中の楽曲のインデックスデータ（タイトル名）の送信要求がなされ（Ｓ２）、この要求に応じて携帯側通信部１２から送信されてくるインデックスデータを受信したか否かの判定がなされ（Ｓ３）、この判定結果がＮＯであれば判定結果がＹＥＳになるまでこの判定が繰り返され、判定結果がＹＥＳになれば、車載側再生部２２により、車載側のＭＤに記録されている楽曲のうち受信したインデックスデータ（タイトル名）に対応する楽曲が再生され（Ｓ４）、その後スタートに戻る。
【００４６】
一方、上記したステップＳ１の判定結果がＮＯであれば、車載側制御部２６により、Ｉ／Ｆ部２３から第２切換信号の出力があるか否かの判定がなされる（Ｓ５）。この判定は、上記した第１切換信号の判断と同様、イグニッションキーのオフ、または、キーレスエントリシステム或いは手動による運転席ドアの施錠があるかどうかに基づいて行われ、これらがあるときに、搭乗者が降車したと判断されてＩ／Ｆ部２３から第２切換信号が出力される。
【００４７】
このステップＳ５の判定結果がＹＥＳであれば、車載側再生部２２により再生中の楽曲のインデックスデータが車載側通信部２１を介して携帯側通信部１２に送信され（Ｓ６）、車載側再生部２２によるＭＤの再生が中止され（Ｓ７）、その後スタートに戻る。
【００４８】
続いて、携帯側音響装置１の動作について説明すると、図３に示すように、携帯側再生部１１によりＭＤが再生中か否かの判定がなされ（Ｓ１１）、この判定結果がＹＥＳであれば、車載側通信部２１からのインデックスデータ（タイトル名）の送信要求があるか否かの判定がなされ（Ｓ１２）、この判定結果がＮＯであればスタートに戻り、判定結果がＹＥＳであれば、その要求に応じて現在再生中の楽曲のインデックスデータ（タイトル名）が携帯側通信部１２から車載側通信部２１に送信された後（Ｓ１３）、携帯側再生部１１によるＭＤの再生が中止され（Ｓ１４）、その後スタートに戻る。
【００４９】
一方、上記したステップＳ１１の判定結果がＮＯであれば、車載側通信部２１から送信されてくるインデックスデータを受信したか否かの判定がなされ（Ｓ１５）、この判定結果がＮＯであればスタートに戻り、判定結果がＹＥＳであれば、携帯側再生部１１により、携帯側のＭＤに記録されている楽曲のうち受信したインデックスデータに対応する楽曲が再生され（Ｓ１６）、その後スタートに戻る。
【００５０】
このように、携帯側再生部１１によるＭＤの楽曲情報の再生から車載側再生部２２によるＭＤの楽曲情報の再生に切り換える第１切換信号が車載側制御部２６に入力されると、携帯側通信部１２に対して再生中の楽曲のインデックスデータ（タイトル名）が要求され、その要求に応じて携帯側通信部１２からインデックスデータが送信されて車載側通信部２１により受信されると、受信されたインデックスデータに対応する楽曲の再生が開始され、携帯用音響装置１による楽曲情報の再生から車載用音響装置２による楽曲情報の再生に自動的に切り換わる。
【００５１】
また、携帯側再生部１１による楽曲情報の再生中止中に、車載用音響装置２による楽曲情報の再生から携帯用音響装置１による楽曲情報の再生に切り換える第２切換信号が車載側制御部２６に入力されると、再生中の楽曲のインデックスデータが携帯側通信部１２に送信されると共に、車載側再生部２２による楽曲情報の再生が中止され、携帯用再生部１１により、受信したタイトル名の楽曲情報の再生が開始される。
【００５２】
従って、上記した実施形態によれば、楽曲情報の携帯用音響装置１による再生から車載用音響装置２による再生への切り換え、またはその逆への切り換えを自動的に行うことができる。
【００５３】
また、短距離無線伝送におけるBluetooth 等のプロトコルを利用することで、携帯側通信部１２及び車載側通信部２１間における通信を簡単に実現することができる。
【００５４】
なお、上記した実施形態では、オーディオ情報を、記録媒体であるＭＤに記録された楽曲情報を再生する場合を例に挙げて説明したが、オーディオ情報はラジオ放送の受信情報であってもよく、この場合には、携帯用音響装置１及び車載用音響装置２それぞれがラジオ放送の受信用チューナを備えていることが必要になり、オーディオ情報はである受信情報を特定するためのインデックスデータは、ラジオ放送の放送局名となり、これを携帯側通信部１２及び車載側通信部２１との間で送受信すればよい。
【００５５】
更に、オーディオ情報が楽曲情報である場合に、その楽曲情報を記録する記録媒体は上記したＭＤに限定されるものではなく、音楽用ＣＤ或いはカセットテープであってもよいのは勿論である。
【００５６】
また、上記した実施形態では、Ｉ／Ｆ部２３により、イグニッションキーまたは運転席ドアの状態に基づき、搭乗者の乗車か降車かを判断して第１切換信号または第２切換信号を出力する場合について説明したが、車載側通信部２１を介して、携帯側通信部１２から携帯用音響装置１の電源のオフ、オンにそれぞれ応じて送信されてくる電源オフ信号及び電源オン信号を取得し、電源オフ信号を取得したときに、搭乗者が乗車したと判断して第１切換信号を出力し、電源オン信号を取得したときに、搭乗者が降車したと判断して第２切換信号を出力するようにしても構わない。こうすれば、イグニッションキーまたはドアの状態を判断しなくて済む。この場合、車載側制御部２６が本発明における切換部にも相当することになる。
【００５７】
更に、車載側音響装置２の車載側操作部２４に、携帯側再生部１１によるオーディオ情報の再生、及び、車載側再生部２２によるオーディオ情報の再生を選択操作するための例えば切換キーを設け、この切換キーの操作により車載側操作部２４から第１切換信号及び第２切換信号を択一的に出力するようにしてもよい。
【００５８】
このようにすれば、切換キーの操作により、オーディオ情報の携帯用音響装置１による再生から車載用音響装置２による再生への切り換え、またはその逆への切り換えの際に、ユーザの意図を反映して確実に切り換えを行うことができる。この場合、車載側操作部２４が切換部に相当する。
【００５９】
また、本発明は上記した実施形態に限定されるものではなく、その趣旨を逸脱しない限りにおいて上述したもの以外に種々の変更を行うことが可能である。
【００６０】
【発明の効果】
以上のように、請求項１に記載の発明によれば、オーディオ情報の携帯用音響装置による再生から車載用音響装置による再生への切り換え、またはその逆への切り換えを自動的に行うことが可能な車載用音響装置を提供することができる。
【００６１】
また、請求項２に記載の発明によれば、イグニッションキーまたはドアの状態に基づいて搭乗者の乗車か降車かを判断するため、搭乗者の乗車と判断すれば、自動的に車載用音響装置による再生に切り換えることができ、搭乗者の降車と判断すれば、自動的に携帯用音響装置による再生に切り換えることが可能になる。
【００６２】
また、請求項３に記載の発明によれば、イグニッションキーまたはドアの状態を判断しなくても、携帯用音響装置の電源のオン、オフに基づいて、オーディオ情報の携帯用音響装置による再生から車載用音響装置による再生への切り換え、またはその逆への切り換えを自動的に行うことが可能になる。
【００６３】
また、請求項４に記載の発明によれば、操作部の操作により、オーディオ情報の携帯用音響装置による再生から車載用音響装置による再生への切り換え、またはその逆への切り換えを自動的に行えるため、ユーザの意図を反映して確実に切換を行うことが可能になる。
【００６４】
また、請求項５に記載の発明によれば、オーディオ情報の携帯側再生部による再生から車載側再生部による再生への切り換え、またはその逆への切り換えを自動的に行うことが可能な携帯用音響装置を提供することができる。
【００６５】
また、請求項６に記載の発明によれば、オーディオ情報の携帯側再生部による再生から車載側再生部による再生への切り換え、またはその逆への切り換えを自動的に行うことが可能な音響システムを提供することができる。
【００６６】
また、請求項７に記載の発明によれば、オーディオ情報がＣＤやＭＤ等の記録媒体に記録された楽曲情報であるときに、インデックスデータとして、楽曲情報のタイトルまたは特定のフレーズを利用することができるため、携帯側通信部及び車載側通信部との間で送受信するインデックスデータに基づき、再生すべき楽曲情報の内容を簡単かつ確実に特定することができ、楽曲情報の携帯用音響装置による再生から車載用音響装置による再生への切り換え、またはその逆への切り換えを円滑に行うことが可能になる。
【００６７】
また、請求項８に記載の発明によれば、オーディオ情報がラジオ放送の受信情報であるときに、インデックスデータとしてラジオ放送の放送局を利用するため、携帯側通信部及び車載側通信部との間で送受信するインデックスデータに基づき、再生すべきオーディオ情報の内容を簡単かつ確実に特定することができ、オーディオ情報の携帯用音響装置による再生から車載用音響装置による再生への切り換え、またはその逆への切り換えを円滑に行うことが可能になる。
【００６８】
また、請求項９に記載の発明によれば、短距離無線伝送におけるBluetooth等のプロトコルに従って、携帯側通信部及び車載側通信部間における通信を簡単に実現することが可能になる。
【００６９】
また、請求項１０に記載の発明によれば、イグニッションキーまたはドアの状態に基づいて搭乗者の乗車か降車かを判断するため、搭乗者の乗車と判断すれば、自動的に車載用音響装置による再生に切り換えることができ、搭乗者の降車と判断すれば、自動的に携帯用音響装置による再生に切り換えることが可能になる。
【００７０】
また、請求項１１に記載の発明によれば、携帯用音響装置の電源オフ時には、搭乗者が乗車したと判断できるため、オーディオ情報の携帯用音響装置による再生から車載用音響装置による再生に切り換えられる。また、携帯用音響装置の電源オン時には、搭乗者が降車したと判断できるため、オーディオ情報の車載用音響装置による再生から携帯用音響装置による再生に切り換えられるため、イグニッションキーまたはドアの状態を判断しなくても、携帯用音響装置の電源のオン、オフに基づいて、オーディオ情報の携帯用音響装置による再生から車載用音響装置による再生への切り換え、またはその逆への切り換えを自動的に行うことが可能になる。
【００７１】
また、請求項１２に記載の発明によれば、操作部の操作により、オーディオ情報の携帯用音響装置による再生から車載用音響装置による再生への切り換え、またはその逆への切り換えを自動的に行えるため、ユーザの意図を反映して確実に切換を行うことが可能になる。
【図面の簡単な説明】
【図１】この発明の一実施形態における音響システムのブロック図である。
【図２】この発明の一実施形態の動作説明用フローチャートである。
【図３】この発明の一実施形態の動作説明用フローチャートである。
【符号の説明】
１    携帯用音響装置
２    車載用音響装置
１１  携帯側再生部
１２  携帯側通信部
１３  携帯側制御部
２１  車載側通信部
２２  車載側再生部
２３  Ｉ／Ｆ部（切換部）
２４  車載側操作部（切換部）
２６  車載側制御部（切換部）
【図１】
0003818872.tif 000002
【図２】
0003818872.tif 000003
【図３】
0003818872.tif 000004